(57)【要約】  漏斗状排尿装置（１）は、第１の壁部（３）と第２の壁部（４）とから形成された、鏡面対称性を備える漏斗状本体（２）を有しており、前記第１の壁部（３）と前記第２の壁部（４）とが、引き離されると第１の端部における大きな開口（５）と第２の端部における小さな開口（６）とを形成し、前記大きな開口（５）が、使用時に陰唇によってシールされるように膣領域において女性の身体に適合するように設計されており、第２の端部が、使用時に尿を排出するためのより小さな開口（６）を規定しており、第１の壁部（３）と第２の壁部（４）との外側に対称的に位置決めされた２つの保持手段（７，８）が設けられており、該保持手段（７，８）が、使用者が、大きな開口（５）の縁部を膣領域において使用者の身体に押し付け、大きな開口の外側が陰唇とシーリング接触するように前記大きな開口（５）を僅かに開放させることを可能にする。
2011514219.tif 000002
【特許請求の範囲】
【請求項１】
漏斗状排尿装置（１）において、
第１の壁部（３）と第２の壁部（４）とから形成された、鏡面対称性を備える漏斗状本体（２）を有しており、前記第１の壁部（３）と前記第２の壁部（４）とが、引き離されると、第１の端部における大きな開口（５）と第２の端部における小さな開口（６）とを形成し、前記大きな開口（５）が、使用時に陰唇によってシールされるように膣領域において女性の身体に適合するように設計されており、第２の端部が、使用時に尿を排出するためのより小さな開口（６）を規定しており、第１の壁部（３）と第２の壁部（４）との外側に対称的に位置決めされた２つの保持手段（７，８）が設けられており、該保持手段（７，８）は、使用者が、大きな開口（５）の縁部を膣領域において使用者の身体に押し付け、大きな開口の外側が陰唇とシーリング接触するように前記大きな開口（５）を僅かに開放させることを可能にすることを特徴とする、漏斗状排尿装置（１）。
【請求項２】
前記保持手段（７，８）が、使用者の前側から提供される、それぞれ１本の指、好適には人差し指と中指、を収容するように設計及び位置決めされた管状ボディである、請求項１記載の漏斗状排尿装置（１）。
【請求項３】
前記管状ボディが、ほぼ正方形の断面を有している、請求項２記載の漏斗状排尿装置（１）。
【請求項４】
前記保持手段（７，８）が、大きな開口（５）の近くであるが少なくとも陰唇の平均的なサイズだけ前記第１の開口の縁部から離れて位置決めされている、請求項２又は３記載の漏斗状排尿装置（１）。
【請求項５】
大きな開口（５）の縁部が、例えば切断エッジではなく折り畳まれたエッジによって強化及び丸み付けされている、請求項１から４までのいずれか１項記載の漏斗状排尿装置（１）。
【請求項６】
第１の壁部（３）と第２の壁部（４）とが互いに接触する折り畳まれた状態における大きな開口の縁部が、線形ではなく、丸み付けられた部分において終わっている線形の側方部分へ鈍角を成して両側において移行している線形の中央部分を有している、請求項１から５までのいずれか１項記載の漏斗状排尿装置（１）。
【請求項７】
ほぼ以下の寸法：
前側線      ７４ｍｍ±５％
後側線      ８３ｍｍ±５％
縁部の線形の中央部分      ３４ｍｍ±５％
縁部の線形の中央部分と縁部の線形の側方部分との間の鈍角      １６３゜±５％
縁部の線形の側方部分をそれぞれ前側線又は後側線に結合する縁部の丸み付けられた端部（半径２４ｍｍ±５％）
を有している、請求項６記載の漏斗状排尿装置（１）。
【請求項８】
使い捨てである、請求項１から７までのいずれか１項記載の漏斗状排尿装置（１）。
【請求項９】
生分解性材料、特に生分解性の紙から形成されている、請求項８記載の漏斗状排尿装置（１）。
【請求項１０】
使用時に後側である装置の側にクリーニングタオル（１９）が取り付けられている、請求項１から９までのいずれか１項記載の漏斗状排尿装置（１）。
【請求項１１】
折り畳まれて、保護バッグ（３０）、好適にはシールされた保護バッグ（３０）内へパックされている、請求項１から１０までのいずれか１項記載の漏斗状排尿装置（１）。
【請求項１２】
２つ以上の、請求項１から１１までのいずれか１項記載の漏斗状排尿装置（１）を含んでいる容器。
【請求項１３】
請求項１から１１までのいずれか１項記載の漏斗状排尿装置（１）を製造する方法において、
折畳み時に漏斗状本体（２）を提供する、打ち抜かれた第１のシート（９）を提供し、
折畳み時に保持手段（７，８）を提供する、２つの打ち抜かれた第２のシート（１７，１８）を提供し、
保持手段（７，８）を提供するために第２のシート（１７，１８）を折り畳み、第１のシート（９）を２つの折り畳まれた第２のシート（１７，１８）又は保持手段（７，８）にそれぞれ結合し、
打ち抜かれた第１のシート（９）を折り畳み、後側線（１３）に沿って設けられたフラップ（１４）を他方の基本部分又は壁部の内側に糊付けすることによって、シートの後側線（１３）をシールしながら接合することを特徴とする、請求項１から１１までのいずれか１項記載の漏斗状排尿装置（１）を製造する方法。
【請求項１４】
予め折り畳まれたクリーニングタオル１９が、折り畳まれた状態において漏斗状本体の後側を超えて延びるように保持手段（７，８）に取り付けられる、請求項１３記載の方法。
【発明の詳細な説明】
【技術分野】
【０００１】
本発明は、女性が直立位置で排尿できるようにする漏斗状の排尿装置、好適には使い捨ての装置に関する。
【０００２】
背景技術
女性用の多くの排尿装置が公知である。そのうちの幾つかは、米国特許出願公開第２００７／０１６９２５３号明細書に開示されているように、液体耐性材料、例えばプラスチックから形成されている。他のものは、打ち抜かれた板紙から成り、この板紙は、平坦に折り畳まれた製品の形式で利用可能にされており、直立した女性使用者の尿路の周囲にその１つのより大きな端部を用いて提供される排尿コンダクタを提供するために、開かれかつ起立させられるようになっており、これにより、直立した使用者から流れ落ちる尿を、別の、通常はより狭幅の端部に案内するようために配置された排尿ダクトを提供する。
【０００３】
米国特許第５８９３１７６号明細書は、起立した状態で尿の排出を案内するための女性用排尿装置に関する。女性用排尿装置は、プラスチックから形成されており、内側シールリングと、外側シールリングと、漏斗とを有している。内側シールリングは、小陰唇の外側を包囲しかつ密閉して係合するようになっている。外側シールリングは、内側シールリングに隣接しており、大陰唇の外側を包囲しかつシールしながら係合するようになっている。漏斗は、内側シールリング及び外側シールリングの下側に配置されており、排尿を案内するようになっている。
【０００４】
米国特許第５０９１９９８号明細書は、起立した女性による排尿を容易にするための漏斗装置に関する。この装置は、女性性器領域を包囲するように整形された半剛性の漏斗縁部を有している。可撓性の漏斗本体が縁部から垂下しており、周囲に沿って縁部にシールされている。漏斗本体は、漏斗本体の前方に向かって内方へ傾斜した連続的な壁部を有している。漏斗本体は、漏斗本体の前方に向かって配置されたオリフィスにおいて終わっている。曲げられる、細長い使い捨てチューブが、漏斗オリフィスにシール可能に取り付けられており、漏斗ボディに関して所定の角度で下方及び外方へ傾斜させられる。チューブは、尿の流れを貯蔵及び案内するための曲げを可能にするように、円周に沿って波形に形成されている。
【０００５】
米国特許出願公開第２００７／０１６９２５３号明細書は、尿を案内するために女性によって使用されるための使い捨て漏斗を開示している。この漏斗は、漏斗の底部における小さな開口と、漏斗の上部における大きな開口とを有している。
【０００６】
米国特許出願公開第２００７／０１９１７９５明細書は、使用者からの尿流体を収集し、流れとして方向付けるためのより精巧な使い捨て排尿装置を開示している。この装置は、延長可能なボディと、上側部分と、下側端部とを有している。上側部分は、第１の開口の周囲に沿って、延長可能なボディの上部に結合されており、上部開口を規定する側壁を有している。下側端部は、第２の開口の周囲に沿って、延長可能なボディの下側に結合されており、底部開口を有している。延長可能なボディは、第１の開口と第２の開口との間の軸方向通路を規定しており、複数の可撓性のベローズ状折目を有している。ベローズ状折目は、十分に可撓性であるので、装置は、非パッケージ位置と、延長位置との間で可動であることができる。非パッケージ位置では、下側端部は上側部分よりも下方に突出し、使用者は下側端部を掴むことができる。延長した位置では、ベローズ状折目は延長させられ、これにより、上部開口を通る尿の流れを収集して、尿を底部開口から流出する流れに案内するためのアーチ状の漏斗を形成する。
【０００７】
国際公開第００／１５１６６号パンフレットには、比較的可撓性であるが、形状を保つ程度に剛性である打ち抜かれたシートを有する、使い捨ての漏斗状排尿装置が記載されており、紙材料は、実質的に同じ、通常は平坦な部分の第１及び第２の対と、平坦な部分の前記第２の対のうちの一方の少なくとも一部に沿って延びた比較的小さな側部ウイングと、折畳み可能な漏斗状構成を得るために前記側部ウイングを固定するための緊締手段とを有しており、前記折畳み可能な漏斗状構成は、起立した状態では、起立した女性使用者の尿路の周囲に適用されるように設計された大きな近位側の解剖学的尿受容端部と、より小さな遠位側の尿排出端部とを有する管状排出ダクトを構成する。
【０００８】
全てのこれらの公知の装置では、問題は、女性使用者の身体に対する、公知の使い捨て排尿装置のより大きな端部の液密な結合を保証できないということである。つまり、改良された排尿装置が依然として必要とされている。
【０００９】
発明の開示
したがって、本発明の一般的な目的は、尿が漏斗状装置によって完全に収集されかつこの漏斗状装置から排出されることを確実に保証しつつ女性が起立しながら排尿することを可能にする漏斗状排尿装置を提供することである。
【００１０】
本発明の別の目的は、小さなスペースに貯蔵することができ、かなり容易かつ単純に使用され、好適には使い捨てであり、極めて好適にはトイレに捨てることができるように生分解性の漏斗状排尿容器を提供することである。漏斗状排尿容器を競争的なコストで製造することができることも、特に使い捨て製品の場合には、望ましい。
【００１１】
以下でより明らかとなるこれらの目的及びその他の目的は、請求の範囲に記載された本発明の漏斗状排尿装置によって達成される。
【００１２】
ここで、記載が進むにしたがってさらに容易に明らかになる本発明のこれらの目的及びさらに別の目的を実行するために、漏斗状排尿装置は、以下の特徴によって明らかにされている。漏斗状排尿装置は、第１の壁部及び第２の壁部から形成された鏡面対称性を備えた漏斗状本体を有しており、前記第１の壁部及び前記第２の壁部が、引き離されると、第１の端部における大きな開口と第２の端部における小さな開口とを形成し、大きな開口が、使用時に陰唇、特に又は主に内側陰唇によって封止されるように膣領域において身体に適合するように設計されており、第２の端部が、使用時に尿を排出するためのより小さな開口を規定しており、２つの保持手段が第１の壁部及び第２の壁部の外側に対称に位置決めされており、前記保持手段により、使用者が膣領域において使用者の身体に大きな開口の縁部を押し付けかつ尿道の出口を被覆し、大きな開口を、この大きな開口の外側が陰唇、特に内側陰唇（小陰唇）と封止接触する程度に開放させることができる。
【００１３】
好適な実施形態において、装置は使い捨てである。本発明の範囲における使い捨てとは、装置が１回の使用のためのものであることを意味する。つまり、使い捨てであるならば、装置は、クリーニング可能ではない材料から形成されてよく、材料及び製造コストは低いのが望ましい。
【００１４】
別の好適な実施形態において、保持手段は、使用時に、使用者の前側から提供される、１本の指、好適には人差し指と中指とをそれぞれ受容するように設計及び位置決めされた管状ボディであり、折畳み性を考慮して、好適にはほぼ正方形の断面を有する管状ボディである。
【００１５】
保持手段は概して、大きな開口の近くであるが、少なくとも陰唇の平均的なサイズだけ、前記大きな開口の縁部から離れて位置決めされている。
【００１６】
より快適にしかつ怪我の危険性を減じるために、大きな開口の縁部は、例えば、切断エッジではなく、折り畳まれたエッジ又は丸められたエッジであることによって強化及び丸み付けられている。
【００１７】
漏斗状排尿装置は、使い捨てでかつ折畳み可能な装置のために、使用者の身体の膣領域に僅かな押圧力を加えながらシールを保証するあらゆる十分に剛性の材料から形成することができるが、軽量の安価な材料、最も好適には生分解性材料、特に生分解性の紙を有することが好ましい。
【００１８】
択一的に、特に２回以上使用することができる装置の場合、使用後に水で洗浄することができる材料、好適には耐水性又は水性液耐性及び／又は撥水性材料、例えばプラスチック又はプラスチックで被覆又は含浸された紙、が好ましい。
【００１９】
別の好適な実施形態において、アレルギーを誘発しにくい材料を選択してよい。
【００２０】
選択された材料と、同じ場所、例えば公衆トイレにおいて使用される装置の数とに応じて、装置の収集及び再利用が考慮されてよい。
【００２１】
別の実施形態において、使い捨ての漏斗状排尿装置は、使用時に後側となる装置の側に取り付けられたクリーニングタオルを有している。このタオルを用いて、使用者は尿道の出口の周囲の身体部分を浄化及び乾燥させることができる。
【００２２】
容易かつ衛生的な運搬のために、本発明の使い捨ての漏斗状排尿装置は、折り畳まれ、保護バッグ、好適にシールされた保護バッグ内にパックされる。
【００２３】
このようなバッグは、紙、プラスチック、紙及びプラスチックの複合材等から形成され、使用される材料に応じて糊付け、エンボス加工又は溶接によってシールされてよい。
【００２４】
販売のために、しかしながら運搬のためにも、２つ以上の使い捨て漏斗状排尿装置を含む容器を提供することができる。通常、板紙又は含浸された板紙から形成されたこのような容器は、複数の個々にシールされた装置を収容してよいか、又は、容器は、複数の"開放した"装置を収容してよく、容器の第１の開放の後にも環境の所要の衛生が保たれるようにそれ自体が閉鎖可能であってよい。大きな容器は、例えば公衆トイレ又は洗面所に配置することができる自動販売機において使用するために、複数のより小さな容器又は個々にシールされた装置を含んでもよい。
【００２５】
本発明の使い捨ての漏斗状排尿装置は、折畳み時に漏斗状本体を提供する打ち抜かれた第１のシートと、折畳み時に保持手段を提供する２つの打ち抜かれた第２のシートとを提供することによって製造することができる。第１及び第２のシートは、同じ材料又は異なる材料、好適には比較的可撓性であるが、軽度の変形後に形状を回復するために十分に剛性である同じ材料、例えば紙、であってよい。次いで、装置は、まず第１のシートを２つの折り畳まれた第２のシートと接合し、最後に、打ち抜かれた第１のシートを折り畳み、好適には糊付けによって、シートの２つの端部を接合することによって提供されるが、選択された材料に応じて、継目が十分に密閉されているならば、溶接、エンボシング又はシーミング又はステッチング等のその他の方法も使用可能である。
【００２６】
打ち抜かれた第１のシートは、中間の長手方向折り線に沿って結合された、１対の、実質的に同じ、平坦な、ほぼＶ字形の基本部分を有しており、これらの基本部分は（使用時に）排尿装置の前側線を形成する。各部分は、さらに、上側線、下側線、及び後側線を有しており、基本部分の少なくとも１つは、ほぼ後側線全体に沿って延びておりかつ２つの基本部分の後側線を結合しておりこれにより漏斗状本体を形成しているシーリング接着線のための基礎として働く耳又はフラップを有している。より好適でない実施形態において、後側線の接続は、接着テープによって行われてよい。単なるエンボス加工によって後側線を接続することもできる。これは、接着剤を使用しなくてよいという利点を有する。上側線は好適には、使用時に女性の膣身体部分に漏斗状装置の大きな開口の適合を改良するように少なくとも部分的に湾曲させられている。
【００２７】
基本部分には、大きな開口の縁部において好適な折畳みエッジを提供しかつ漏斗状本体の上側領域を安定させるために働くように折り畳まれる付加的な耳又はフラップが設けられていてよい。
【００２８】
択一的な実施形態において、大きな開口の上側エッジ又は縁部はそれぞれ、折畳みエッジではなく、丸められた又は巻かれた縁部である。
【００２９】
最後のステップにおいて、望まれるならば、好適には予め折り畳まれたクリーニングタオルが、漏斗状本体の後側線に隣接して、例えば接着剤又はエンボス加工によって取り付けられてよい。
【００３０】
本発明の装置は、特に、レストラン、駅、空港、列車、航空機、バス、劇場、映画館、職場等のあらゆる公衆洗面所における使用、スポーツ及び旅行のための使用、に適しているが、女性が座ったり立ったりすることに問題を有するならば家庭での使用にも適している。
【００３１】
ここでさらに説明されるような概略的な形式は、約１０歳の年齢からほとんどの女性に適している。
【００３２】
材料に応じて、装置は、洗浄されかつ再利用されるか、トイレ又はゴミ箱に捨てられることができる。
【００３３】
発明の以下の詳細な説明が考慮された場合、発明はよりよく理解され、上に示した目的以外の目的が明らかになるであろう。このような説明は添付の図面を参照する。
【図面の簡単な説明】
【００３４】
【図１】好適な本発明による漏斗状排尿装置を示している。
【図２】クリーニングタオルを有する好適な本発明による漏斗状排尿装置を示している。
【図３】本発明の好適な装置を製造するための製造ステップを示している。
【図３Ａ】耳及び／又はフラップの好適な位置を備えた打ち抜かれた第１のシートを示している。
【図３Ｂ】最終的な折畳み時に、形成された漏斗状本体の内側になる位置へ折り畳まれた耳及びフラップを備えた第１のシートを示している。
【図３Ｃ】打ち抜かれた第２のシートのうちの１つを示している。
【図３Ｄ】保持手段を折り畳み、フラップ部分を互いに糊付けし、ほぼ正方形の断面を備える中空のチューブと取付けフラップとを形成した後の、第２のシートを示している。
【図３Ｅ】取付けフラップの１つの部分が基本部分の内側に取り付けられた（糊付けされた）保持手段を示している。
【図３Ｆ】取付けフラップの別の部分が基本部分の外側に取り付けられた（糊付けされた）保持手段を示している。
【図３Ｇ】後側線が、後側線のうちの１つに沿って位置決めされたフラップによって糊付け及びシールされた、最終的に折り畳まれた漏斗状排尿装置を示している。
【図４】クリーニングタオルの製造及び取付けにおける様々なステップを示している。
【図４Ａ】一方の端部における２つの取付けストラップと、示されたタオル自体のための横方向折り畳み線とを備えた、打ち抜かれた広げられたタオルを示している。
【図４Ｂ】横方向に折り畳まれた位置におけるタオルを示しており、ストラップの折り畳みが示されている。
【図４Ｃ】部分的に折り畳まれたタオルを示しており、最後の長手方向折り畳み線が示されている。
【図４Ｄ】２つの保持手段の上壁に取り付けられたクリーニングタオルを備えた漏斗状排尿装置の上部を示す上面図である。
【図４Ｅ】クリーニングタオルの最後の折り畳みステップを示す、漏斗状排尿装置の側面図である。
【図４Ｆ】最終的に折り畳まれた状態の好適な漏斗状排尿装置を示す図である。
【図５】好適なシーリングパッケージを示す図である。
【図５Ａ】示された折畳み線及び弱め線を備える打ち抜かれた材料を示している。
【図５Ｂ】折り畳まれかつシールされた最終的なバッグを示しており、弱め線が、バッグを容易に開放させることができるように形成及び位置決めされており、漏斗状装置が大きな開口の近くで掴まれかつバッグから引き出される。
【図６】完全に押しつぶされた状態の漏斗状装置を示しており、すなわち、２つの側部は互いに接触しており、好適な寸法をミリメートルで示している。
【図７】開かれた漏斗状装置の平面図である。
【図７Ａ】通常の開口と、約１５ｍｍである漏斗状装置とを示している。
【図７Ｂ】約４０ｍｍ又は６５゜の開放角度である漏斗状装置の最大開口を示している。
【図８】図６に示された漏斗状装置のために最適化された好適なフィンガラッシュの寸法を示している。
【図９】図６に示された漏斗寸法を備えた漏斗状装置のために最適化された寸法を備えたクリーニングタオルの好適な形式を示している。
【発明を実施するための形態】
【００３５】
本発明の漏斗状排尿装置１（図１参照）は、第１の壁部又は第１の基本部分３及び第２の壁部又は第２の基本部分４から形成された、鏡面対称性を備える漏斗状本体２を有しており、前記第１の壁部３と前記第２の壁部４とは、互いに引き離されると、第１の端部における大きな開口５と、第２の端部における小さな開口６とを形成し、大きな開口５は、使用時に尿道の出口上に延びかつ陰唇、主に内側陰唇によってシールされるように膣領域において身体に適合するように設計されており、第２の端部は使用時に尿を排出するためのより小さな開口６を規定しており、第１の壁部３及び第２の壁部４の外側に対称的に位置決めされた２つの保持手段７，８が設けられており、前記保持手段７，８は、使用者が、大きな開口５の縁部を、膣領域において使用者の身体に押し付け、開口の外側が内側陰唇とシーリング接触するように大きな開口を僅かに開放させることを可能にする。
【００３６】
保持手段７，８（図１及び図２参照）は、概して、使用者の前側から提供される１本の指、好適には人差し指と中指とをそれぞれ収容するように設計及び位置決めされた管状ボディである。折畳み可能性のために、管状ボディは、ほぼ正方形の断面を有している。さらに、指をよりよく保護するために、保持手段の上壁７１と、身体から離れた保持手段の第１の（外側の）側壁７２とは、指全体をほとんど覆うようにより大きくてよい。
【００３７】
保持手段７，８は、漏斗状本体２の上側部分に、好適には大きな開口５の近くではあるが、少なくとも陰唇の平均的なサイズだけ前記開口５の縁部から離れて、位置決めされている。このような距離は、例えば５〜９ｍｍ、好適には約６ｍｍである。
【００３８】
改良された安定性及び減じられた怪我の危険性に関する改良された安全性のために、大きな開口の縁部は、切断エッジではなく、例えば折り畳まれた縁部又は丸められたエッジによって、強化及び丸み付けされている。これは、漏斗状本体２内に折り畳むことができる耳又はフラップ１５，１６を提供することによって又は、保持手段７，８を漏斗状本体２に取り付けるために同時に使用される耳又はフラップ７４〜７７等の折り畳まれた部分を取り付けることによって達成することができる。
【００３９】
好適な実施形態において、漏斗状排尿装置１の大きな開口５の縁部は、縁部とだけ呼ばれることもあるが、第１の壁部３と第２の壁部４とが互いに接触する折り畳まれた状態において、線形ではなく、線形中心部分を有しており、この線形中心部分は両側において鈍角で線形側方部分へ移行しており、これらの線形側方部分は丸み付けられた部分において終わっている（図４Ｅ及び図４Ｆ参照）。好適には、装置は以下の大体の寸法を有している：
前側線                    ７４ｍｍ±５％
後側線                    ８３ｍｍ±５％
縁部の線形の中心部分      ３４ｍｍ±５％
縁部の線形の側方部分      １８ｍｍ±５％
図６にδとして示された縁部の中央部分と縁部の線形の側方部分との間の鈍角
１６３゜±５％。
【００４０】
縁部の線形の側方部分を前側線又は後側線に接続する、縁部の丸み付けられた端部は、それぞれ、２４ｍｍ±５％の半径を有している。
【００４１】
上述の基本寸法は、１４１゜の、前側線と小さな開口のエッジとの間の角度（図６にγで示されている）と、４７゜の、後側線又は前側線と線形側方部分との間の角度（図６にαで示されている）との場合に、９０゜の後側線と小さな開口のエッジとの間の角度（図６にβで示されている）を生じる。
【００４２】
この好適な装置の別の寸法が図６に示されており、Ｒは半径を示している。
【００４３】
±５％だけ容易に変化されるこれらの寸法は、平均的な使用者のために最適化された現時点で好適な寸法を表している。装置を使用不能にすることなく又は容易な運搬のために大きくなりすぎることなく、それ以上のずれが許容されてよいが、上に示された寸法は、平均的な大きさの女性の膣部分に合致するのに適していることが分かっており、平均的に排尿する女性の尿を貯蔵しかつ溢れることなく排出することができるように寸法決めされた小さな開口６を備えた漏斗状ボディ２を提供する。これらの寸法は、１５ｍｍの大きな開口の通常の開放（図７Ａ参照）のために適していることが分かっており、図７Ｂに示された約４０ｍｍの極度の開放のために十分である。
【００４４】
有用性を破壊することなく行われてよい変更は、例えば、後側線及び後側線形側方部分を一定に保ちながらより大きな前側線、すなわち、縁部の中心部分と縁部の線形前側側方部分との間の僅かに減じられた角度（図６にδで示されている）を含む。択一的な可能性は、漏斗の小さな開口が"進歩"させられるように、縁部と後側線との間の角度（図６にαで示されている）を減じることである。全てのこれらの変更に関して重要なことは、漏斗の体積及び小さな開口の寸法が、多くとも約１５％を超えて、好適には１０％を超えて、一層好適には５％を超えて変化させられないことである。尿の流れの良好な"位置決め"のために、より大きな漏斗は、上に示された寸法を備える漏斗よりも適していないことが分かった。
【００４５】
寸法同士の関係を一定に保ちながらより大きな人又はより小さな人のためのこのような装置を製造することも可能である。
【００４６】
上に示された寸法を備えた漏斗状装置のために、以下の主要な寸法を備えたフィンガラッシュが好ましい：
上壁７１                    １８ｍｍ±５％
第１の側壁７２              ２２ｍｍ±５％
底壁７３                    １８ｍｍ±５％
第２の側壁７４              ２２ｍｍ±５％
耳又はフラップ７５          １２ｍｍ±５％
耳又はフラップ７６          ６ｍｍ±５％
耳又はフラップ７７          ５．５ｍｍ±５％。
【００４７】
現時点で好適な装置の別の寸法が図８に示されており、Ｒは半径を表している。
【００４８】
漏斗状排尿装置は、プラスチック、板紙等の様々な材料から形成することができるが、生分解性材料、特に生分解性の紙が好ましい。使い捨て装置のための一種の生分解性の紙の使用は、均一な生分解を保証するために現時点では好ましいが、異なる紙、例えばより厚い紙と組み合わされた薄い紙を使用すること又はプラスチックを紙と組み合わせること等が本発明の範囲に含まれる。
【００４９】
本発明の好適には使い捨ての漏斗状排尿装置は、さらに、使用時に後側になる装置の側に取り付けられたクリーニングタオル１９を有していてよい（図２及び図４Ａ〜図４Ｆ）。
【００５０】
図６に示された漏斗状本体への最適な取付けのために、このようなクリーニングタオル１９は、長手方向折り線２３に対応する長手方向対称軸線と、１６８ｍｍの、対称軸線において測定された合計長さと、１３０ｍｍの、漏斗状ボディ上に突出した対称軸線におけるタオルの長さとを有している。漏斗状本体上に突出したこの部分は、（中間垂直折り線２２に沿った）垂直対称軸線と、（２×４２ｍｍ）又は８４ｍｍの長手方向の延びと、（２×４５ｍｍ）又は９０ｍｍの垂直の延びと、３８ｍｍの長さを備えた中央部分から延びた後側部分と、（２×３６ｍｍ）又は７２ｍｍの、中央部分への結合部における対称軸線に対して垂直な寸法と、（２×２３ｍｍ）又は４６ｍｍの、タオルの端部における対称軸線に対して垂直な寸法と、を有する、丸み付けられた角を備える中央タオルボディを有している。漏斗状ボディに沿って延びた部分を有するタオルの前側部分は、それぞれ１８ｍｍの、対称軸線に対して垂直な寸法と、４６ｍｍの長さとを備えた２つの固定部分に延びている。
【００５１】
タオルの全ての角は、１８ｍｍの半径を備えるように丸み付けられている。
【００５２】
現時点で好適なタオルの別の寸法が図９に示されており、Ｒは半径を表している。
【００５３】
このようなタオルは、漏斗状本体に完全に合致する折畳みを許容する（図４Ｆ参照）。つまり、漏斗状本体の寸法が僅かに変化させられた場合、タオル寸法の僅かな変化（概して±５％の変化）が可能であるか又は推奨される。
【００５４】
好適な使い捨て漏斗状排尿装置は主に公衆トイレで使用されるためのものであるので、健康上の問題、加齢等により座ったり立ったりするのに問題がある人によって使用されることもでき、好適には折り畳まれて衛生パッケージ、例えば保護バッグ３０、好適にはシールされた保護バッグ３０に封入される（まだ折り畳まれてシールされていない状態について図５Ａを、折り畳まれてシールされた状態について図５Ｂが参照される）。
【００５５】
図５Ａは、示された折り線３１と弱め線３２、例えば小孔とを備えた、バッグ３０を形成するための打ち抜かれた材料を示している。図５Ｂは、バッグを容易に開放することができるように形成及び位置決めされた弱め線３２を備えた、折り畳まれてシールされた最終的なバッグ３０を示しており、漏斗状装置は大きな開口５の近くで掴まれてバッグ３０から引き出される。
【００５６】
排尿装置１のための上に示された寸法は、排尿装置１を、脚部のそれぞれの約１０ｃｍの三角形の被覆バッグによって貯蔵及び保護することができるようにする。このようなバッグのために使用される材料は、紙、含浸された紙、プラスチック、又は例えば紙とプラスチックとの複合材等であることができる。
【００５７】
折り畳まれた状態において、概して、漏斗状本体は、２つの壁部が互いに接触するが、さらに折り畳まれないように、単に押しつぶされている。保持手段は、上壁７１と第１の外側壁部７２とがそれぞれ底壁７３と第２の側壁７４又は漏斗壁部３，４に対して平行になるように折り畳まれている。存在することができるタオルは、好適には、２つの漏斗壁部３，４にぴったりと適合するように対称的に折り畳まれている（図４Ｅ及び特に図４Ｆ参照）。
【００５８】
２つ以上、好適には約５個の漏斗状排尿装置を含んだ容器を提供することもできる。このような容器は、個々に又は一緒にパックされた装置を含んでよく、装置が個々にパックされているかどうかに応じて、装置１のうちの１つを取り出した後に再び多かれ少なかれ密閉することができる容器が想定されてよい。
【００５９】
装置１は、店舗において、又は公衆トイレ及び洗面所において、例えばその他の衛生物品のために知られるような販売機において販売することができる。
【００６０】
使い捨て漏斗状排尿装置は、部分的に手製（例えば自動的に打ち抜かれて、部分は手作業で折り畳まれて結合される）であるか、又は公知の適切に適応されたパッケージング機械、例えば衛生ナプキン又はタオル、タンポンを個々にパッケージするために使用されるような機械だけでなく、たばこ等をパッケージするための機械を使用して完全に自動的に製造することができる。
【００６１】
本発明の使い捨て漏斗状排尿装置１は、折畳み時に漏斗状本体２（図３Ｇ参照）を提供する打ち抜かれた第１のシート９（図３Ａ参照）と、折畳み時に保持手段７，８を提供する２つの打ち抜かれた第２のシート１７，１８とを提供することによって製造することができる（なぜならば、保持手段７，８は互いに同じ又は鏡像であり、１つの手段、すなわち手段７のみが、さらに詳細に説明され、図面、例えば図３Ｅに示されている）。第１及び第２のシートは、同じ又は異なる材料、好適には比較的可撓性であるが、僅かな変形の後に形状を回復するように十分に剛性である同じ材料、例えば紙、であってよい。次いで、装置は、まず第１のシート９を２つの折り畳まれた第２のシート１７，１８と接合し（図３Ｅ及び３Ｆ）、最後に、打ち抜かれた第１のシート９を折り畳んで２つの端部、シートの後側線１３を、好適には後側線１３、例えば本体部分又は壁部４の後側線、の一方に沿って設けられたフラップ１４を、他方の本体部分又は壁部３の内側に糊付けすることによって、提供される。糊付けが好ましいが、漏斗状ボディの所要の密閉性が保たれるならば、選択された材料に応じて、溶接、エンボス加工又はシーミング又はステッチング等のその他の方法を使用可能である。
【００６２】
打ち抜かれた第１のシート（図３Ａ）は、（使用時に）排尿装置１の前側線１０を構成する、中間の第１の長手方向折り線１０に沿って結合された第１及び第２の壁部３，４に対応する実質的に同じ平坦なほぼＶ字形の基本部分の対を有している。各部分は、上側線１１と、底部線１２と、後側線１３とを有しており、好適な実施形態において、本体部分３，４のうちの少なくとも一方は、後側線１３のほぼ全体に沿って延びた耳又はフラップ１４を有しており、この耳又はフラップ１４は、２つの本体部分３，４の後側線を結合しこれにより漏斗状ボディ２を形成するシーリング接着線のためのベースとして働く。上側線１１は、好適には、使用時に女性の膣部分への漏斗状装置の大きな開口の適合を高めるために少なくとも部分的に湾曲させられている。
【００６３】
本体部分３，４には、特に、前側線１０に近い領域における付加的な耳又はフラップ（前側部分耳又はフラップ１５）と、後側線１３に近い領域における付加的な耳又はフラップ（後側部分耳又はフラップ１６）とが設けられていてよく（図３Ａ参照）、後側線１３は、折り畳まれ、後側線１３が接合された後に漏斗状ボディ２の内側になる基本部分の側部に糊付けされる（図３Ｂ参照）。折り畳まれた耳は、それぞれ、一方では、上側線１１における好適な折り畳まれたエッジ又は大きな開口５を提供し、漏斗状ボディ２の上側領域を安定化させるためにも働く。さらに、耳又はフラップは、大きな開口５の縁部のほとんど又は全てが折り畳まれたエッジによって形成されるように、本体部分の上側線１１に設けられていてよい。しかしながら、択一的にかつ現時点で好適には、各本体部分の上側線１１の中央部分の折り畳まれたエッジは、以下でさらに説明するように第２のシート１７，１８の折り畳まれたエッジによって形成される。
【００６４】
第２のシート１７，１８は、上壁７１と、第１の側壁７２と、保持手段の底壁７３とを提供するための部分を有している。折り畳まれた状態における第２の側壁７４は、大きな開口の縁部まで上壁７１上に延びており、選択的に、折り畳まれたエッジを介して選択的な耳又はフラップ７７まで延びている。さらなる安定性のために、保持手段７，８の管状部分は、耳又はフラップ７６を側壁７４に糊付けし、選択的に耳又はフラップ７５を耳又はフラップ７７に糊付けすることによって、形成される。これは、さらなる厚さ、ひいては安定性を提供する。次いで、耳又はフラップ７６に部分的に取り付けられた側壁７４は、基本部分の外側に糊付けされ、選択的に耳又はフラップ７７に糊付けされた耳又はフラップ７５は、同じ基本部分の内側に糊付けされる。
【００６５】
最後のステップにおいて、望まれるならば、好適には予め折り畳まれたクリーニングタオル１９が、例えば接着剤によって、漏斗状本体の後側線に隣接して取り付けられてよい（図２参照）。
【００６６】
クリーニングタオル１９の折畳みは図４に示されている。まず、クリーニングタオル１９は打抜きによって提供され、前記クリーニングタオル１９は、タオル１９を保持手段７の上壁７１に取り付けるために使用される２つのストラップ２０及び２１を有している。ストラップと向き合った部分におけるタオルの減じられた直径は、単に、別の折畳みステップを用いることなく、折り畳まれた状態における漏斗状ボディへの取付けによるものである。このようなタオルに適した、横方向折畳み線２２と、長手方向折畳み線２３と、ストラップ折畳み線２４とは、図４Ａ、図４Ｂ及び図４Ｃに示されている。図４Ｄは、折り畳まれて取り付けられたタオルを示しており、示された部分を含む接着剤４０を備える。
【００６７】
漏斗状ボディ、耳又はフラップ、保持手段及び／又はクリーニングタオルを糊付けするために、あらゆる接着剤が使用されてよく、この場合、生分解性材料の好適な使用により、毒性のない、好適には同様に生分解性の接着剤が好ましい。
【００６８】
糊付けの代わりに、例えば紙製品等の場合、特別なエンボス加工による結合を使用することができる。
【００６９】
使用するために、使用者は、例えば図３Ｅに矢印によって示したように、２本の指を保持手段に導入する。次いで、使用者は、上側縁部を、身体の膣領域に向かって押し付け、大きな開口５を僅かに開放する。概して、２つの壁部３，４は約１５ｍｍだけ分離されるが（図７Ａ参照）、使用者の年齢に応じて、４０ｍｍまでの開放が可能である（図７Ｂ参照）。
【００７０】
発明の現時点で好適な実施形態が示されかつ説明されたが、発明はこれらの実施形態に限定されず、以下の請求項の範囲において別の形式で様々に具体化及び実施されてよいことが明確に理解されるべきである。
【符号の説明】
【００７１】
１  漏斗状排尿装置
２  漏斗状ボディ
３  第１の壁部又は基本部分
４  第２の壁部又は基本部分
５  大きな開口
６  小さな開口
７，８  保持手段
９  第１のシート
１０  長手方向折り線、前側線
１１  上側線
１２  下側線
１３  後側線
１４  ほぼ後側線全体に沿って延びた耳又はフラップ
１５  前側部分の耳又はフラップ
１６  後側部分の耳又はフラップ
１７，１８  第２のシート
１９  クリーニングタオル
２０，２１  ストラップ
２２  横方向折り線
２３  長手方向折り線
２４  ストラップ折り線
３０  シールされた保護バッグ
３１  折り線
３２  弱め線
４０  さらにＡからＧとして示された、接着部分又は選択的にエンボス加工された部分
７１  上壁
７２  第１の側壁
７３  底壁
７４  第２の側壁
７５−７７  耳又はフラップ
７８  使用者補助、印刷されたマーク
【図１】
2011514219.tif 000003
【図２】
2011514219.tif 000004
【図３Ａ】
2011514219.tif 000005
【図３Ｂ】
2011514219.tif 000006
【図３Ｃ】
2011514219.tif 000007
【図３Ｄ】
2011514219.tif 000008
【図３Ｅ】
2011514219.tif 000009
【図３Ｆ】
2011514219.tif 000010
【図３Ｇ】
2011514219.tif 000011
【図４Ａ】
2011514219.tif 000012
【図４Ｂ】
2011514219.tif 000013
【図４Ｃ】
2011514219.tif 000014
【図４Ｄ】
2011514219.tif 000015
【図４Ｅ】
2011514219.tif 000016
【図４Ｆ】
2011514219.tif 000017
【図５Ａ】
2011514219.tif 000018
【図５Ｂ】
2011514219.tif 000019
【図６】
2011514219.tif 000020
【図７Ａ】
2011514219.tif 000021
【図７Ｂ】
2011514219.tif 000022
【図８】
2011514219.tif 000023
【図９】
2011514219.tif 000024
【国際調査報告】
2011514219.tif 000025
2011514219.tif 000026
2011514219.tif 000027